(57)【特許請求の範囲】
【請求項１】
遊技盤の前面に設けられて打球発射装置により発射された遊技球を前記遊技盤の上部に案内する円弧状の金属製の外レールと、
前記遊技盤の盤面に沿って落下する遊技球をアウト口に導く円弧状の金属製の内レールと、
前記外レールおよび前記内レールによって仕切られる略円形の遊技領域の外側に、前記外レールのレール高さと同程度の高さを有し前記外レールに沿って配設されるレール飾りと、
前記レール飾りから前記外レールに向けて突出し先端側の接触片部が前記外レールの外側面に弾性的に接触する金属製のアース部材と、
前記アース部材に接続されて前記アース部材を電気的に接地させるアース手段とを備え、
前記レール飾りは、前記遊技盤に固設されるベース部材とこのベース部材の上部を覆って取り付けられるカバー部材とからなり、前記アース部材の基端側が前記カバー部材に覆われた前記レール飾りの内部において固定され前記アース手段に接続されるとともに、前記外レールに沿って配設される壁面に前記アース部材の突出位置に対応して切り欠き部が形成されて前記アース部材の先端側が導出され、前記アース部材における前記接触片部のみが前記レール飾りと前記外レールとの隙間部分に現われて配設されるように構成したことを特徴とする弾球遊技機。
【請求項２】
遊技盤の前面に設けられて打球発射装置により発射された遊技球を前記遊技盤の上部に案内する金属製の円弧状の外レールと、
前記遊技盤の盤面に沿って落下する遊技球をアウト口に導く金属製の円弧状の内レールと、
前記外レールおよび前記内レールによって仕切られる略円形の遊技領域の外側に、前記内レールのレール高さと同程度の高さを有し前記内レールに沿って配設されるレール飾りと、
前記レール飾りから前記内レールに向けて突出し先端側の接触片部が前記内レールの外側面に弾性的に接触する金属製のアース部材と、
前記アース部材に接続されて前記アース部材を電気的に接地させるアース手段とを備え、
前記レール飾りは、前記遊技盤に固設されるベース部材とこのベース部材の上部を覆って取り付けられるカバー部材とからなり、前記アース部材の基端側が前記カバー部材に覆われた前記レール飾りの内部において固定され前記アース手段に接続されるとともに、前記内レールに沿って配設される壁面に前記アース部材の突出位置に対応して切り欠き部が形成されて前記アース部材の先端側が導出され、前記アース部材における前記接触片部のみが前記レール飾りと前記内レールとの隙間部分に現われて配設されるように構成したことを特徴とする弾球遊技機。
【請求項３】
前記アース部材の基端側に円孔状の孔部が穿設され、
前記ベース部材に前記孔部が嵌挿される円柱状の突起部が形成され、
前記孔部を前記突起部に嵌挿させ、前記アース部材の先端側を前記切り欠きを通して導出させて前記ベース部材の上方を覆って前記カバー部材を取り付けたときに、前記アース部材が回転規制され位置決めされた状態で前記ベース部材と前記カバー部材とに挟持されて固定されるように構成したことを特徴とする請求項１または請求項２に記載の弾球遊技機。
【請求項４】
前記レール飾りの内部に照明手段を有する照明基板が配設されており、前記アース部材は前記照明基板のアース回路に接続されることを特徴とする請求項１から請求項３のいずれか一項に記載の弾球遊技機。
【請求項５】
前記アース部材は前記照明基板のアース回路の回路パターンに弾性的に接触して接続されることを特徴とする請求項４に記載の弾性遊技機。
【発明の詳細な説明】
【０００１】
【発明の属する技術分野】
本発明は、パチンコ機やアレンジボール機等の弾球遊技機に関し、なお詳細には、遊技中に発生する静電気による障害を抑制する弾球遊技機に関する。
【０００２】
【従来の技術】
パチンコ機やアレンジボール機等の弾球遊技機では、遊技球として鉄系合金を主体とした金属材料が使用されているが、この遊技球が移動する遊技球の貯留タンクや給排出路等にはＡＢＳ樹脂やポリアセタール樹脂、ポリカーボネート樹脂等の樹脂材料が多用されており、遊技球がこれらの部材と接触し擦り合って移動する間に静電気を帯びやすく、また一旦帯電するとその電位を保持しやすいという特性がある。
【０００３】
一方、近年の弾球遊技機は、遊技の趣向性を向上させるためいわゆるマイコン遊技機やデジタル遊技機といわれる遊技機が主流になっており、遊技機内部にはマイクロプロセッサを搭載した主制御基板をはじめ、表示制御基板、音声制御基板、打球発射装置制御器盤等の多種多様な電子制御回路が搭載されている。
【０００４】
これらの電子制御回路は、一般的に、短周期・高ピーク電圧のパルス状ノイズに極めて弱く、何等静電対策を行わない場合には、遊技球が蓄積した静電気が絶縁破壊により気中放電して発生する静電気ノイズによって制御上の誤動作が生じたり、回路に搭載されたＩＣチップが破損するなど種々の障害を発生するおそれがある。このため、近年の弾球遊技機では、遊技球の電位があまり高くならないうちに電荷をアースさせ、静電気を蓄積させないようにする静電気除去手段が遊技球移動経路の要所ごとに設けている。
【０００５】
【発明が解決しようとする課題】
しかしながら、従来の弾球遊技機では、打球発射装置から打ち出されて遊技盤の遊技領域に至る移動経路や、遊技領域に静電気除去手段が設けられていなかった。このため、帯電した遊技球が遊技領域において電動役物の金属部材と接触して静電気ノイズを発生したり、アウト口から回収されたアウト球が裏機構盤の排出経路内で静電気ノイズを発生して上記障害の原因になるという問題があった。
【０００６】
ここで、遊技盤には打球発射装置から発射された遊技球を遊技領域に導く金属製の外レールと、遊技盤の盤面に沿って落下する遊技球をアウト口に導く金属製の内レールとが固設されている。従って、これらのレールを電気的に接地させることが上記問題を解決する重要な手段と考えられる。しかし、内・外レールに凹凸なくアース線を接続することは難しく（形態上の課題）、また、これらのレールは大部分がガラス窓を通して外部から視認可能であるため、アース線等が露出しない静電気除去手段が求められていた（意匠上の課題）。
【０００７】
かかる静電気除去手段の一つとして、例えば特開平5-228257号公報に開示された技術がある。これは、内レールおよび外レールにそれぞれ前方に突出する導電性弾性体を取り付け、これらをガラス扉の金属枠に接触させて両レールをアースさせようとするものである。しかし、このような構成では装置構成が複雑で部品コスト、組立工数ともに増加させることになるうえ、ガラス窓の開閉を繰り返すうちに接触不良を生じて静電気除去効果が減退するおそれがあるという問題もあった（生産コストおよび動作の確実性の課題）。
【０００８】
本発明は、このような課題に鑑みて成されたものであり、従来の弾球遊技機の構成を大きく変更することなく、また、意匠上煩雑な感覚を生じさせることなく、簡明かつローコストに遊技球の静電気を除去できる弾球遊技機を提供することを目的とする。
【０００９】
【課題を解決するための手段】
上記目的を達成するため、請求項１に記載の発明は、遊技盤の前面に設けられて打球発射装置により発射された遊技球を遊技盤の上部に案内する円弧状の金属製の外レールと、遊技盤の盤面に沿って落下する遊技球をアウト口に導く円弧状の金属製の内レールと、外レールおよび内レールによって仕切られる略円形の遊技領域の外側に、外レールのレール高さと同程度の高さを有し外レールに沿って配設されるレール飾りと、レール飾りから外レールに向けて突出し先端側の接触片部が外レールの外側面に弾性的に接触する金属製のアース部材と、アース部材に接続されて外アース部材を電気的に接地させるアース手段（例えば、実施形態におけるアース線５２やLED基板の配線ケーブル等）とを備え、レール飾りは、遊技盤に固設されるベース部材とこのベース部材の上部を覆って取り付けられるカバー部材（例えば実施形態におけるレンズ部材３２）とからなり、アース部材の基端側がカバー部材に覆われたレール飾りの内部において固定されアース手段に接続されるとともに、外レールに沿って配設される壁面にアース部材の突出位置に対応して切り欠き部が形成されてアース部材の先端側が導出され、アース部材における接触片部のみがレール飾りと外レールとの隙間部分に現われて配設されるように弾球遊技機を構成する。
【００１０】
また、請求項２に記載の発明は、遊技盤の前面に設けられて打球発射装置により発射された遊技球を遊技盤の上部に案内する円弧状の金属製の外レールと、遊技盤の盤面に沿って落下する遊技球をアウト口に導く円弧状の金属製の内レールと、外レールおよび内レールによって仕切られる略円形の遊技領域の外側に、内レールのレール高さと同程度の高さを有し内レールに沿って配設されるレール飾りと、レール飾りから内レールに向けて突出し先端側の接触片部が内レールの外側面に弾性的に接触する金属製のアース部材と、アース部材に接続されてアース部材を電気的に接地させるアース手段（例えば、実施形態におけるアース線５２やLED基板の配線ケーブル等）とを備え、レール飾りは、遊技盤に固設されるベース部材とこのベース部材の上部を覆って取り付けられるカバー部材（例えば実施形態におけるレンズ部材３２）とからなり、アース部材の基端側がカバー部材に覆われたレール飾りの内部において固定されアース手段に接続されるとともに、外レールに沿って配設される壁面にアース部材の突出位置に対応して切り欠きが形成されてアース部材の先端側が導出され、アース部材における接触片部のみがレール飾りと外レールとの隙間部分に現われて配設されるように弾球遊技機を構成する。
【００１１】
これらの弾球遊技機では、例えば、アース手段を遊技機に設けられたアース回路や遊技島に設けられたアース端子等に接続してアース電位に接地されたアース部材が、内・外レールに沿って遊技領域の外側に配設されるレール飾りから突出して外レールまたは内レールに接触し、これらのレールをアース電位に地落させる。よく知られるように、内・外レールは遊技盤の正面視において略円形の取り付け形態で固設され、レール飾りはレール高さと同程度の高さを有して外郭方形状の収容枠と円弧状の内・外レールの外周との間を埋めるように配設されている。従って、上記のような構成の弾球遊技機によれば、内・外レールの構成を大きく変更したり複雑化させたりすることがなく、またアース部材における接触片部のみがレール飾りと外レールとの隙間部分に現われて配設されるため外観上においても遊技者に静電気除去手段の存在を意識させるような意匠上の変化を生じさせることなく、内・外レールをアースさせる遊技機を構成することができる。
【００１２】
また、アース部材が外レールまたは内レールの外側面に弾性的に接触する構成のため、内・外レールに何等の変更を加える必要がなく、しかも、内・外レールの形状や取り付け位置等がばらついた場合でも柔軟に追従して確実にアースさせることができる。また、ローコストに静電気除去手段を備えた弾球遊技機を構成することができる。
【００１３】
請求項３に係る発明は、上記請求項１または請求項２に記載の弾球遊技機において、アース部材の基端側に円孔状の孔部が穿設され、ベース部材に孔部が嵌挿される円柱状の突起部が形成される。そして、孔部を突起部に嵌挿させ、アース部材の先端側を切り欠きを通して導出させてベース部材の上方を覆ってカバー部材を取り付けたときに、アース部材が回転規制され位置決めされた状態でベース部材とカバー部材とに挟持されて固定されるように構成される。一般にベース部材とカバー部材とは、ともに樹脂材料を射出成形等の成形手段を用いて所定形状に構成している。このため、上記構成によれば、アース部材の取り付け部位を容易かつ簡便に形成することができるとともに、ねじ等の別段の固定手段を用いることなく、簡単にアース部材を取り付けることができる。
【００１４】
請求項４に係る発明は、請求項１から請求項３に記載の弾球遊技機において、レール飾りの内部に照明手段を有する照明基板（例えば実施形態におけるLED基板３５）が配設されており、アース部材は照明基板のアース回路に接続されることを特徴とする。このような構成によれば、アース部材を地落させるために固有のアース線を引き回す必要がなく、照明基板のコネクタケーブルを利用してアース回路を構成することができる。従って、個別のアース線を配線する作業工数等を削減して生産コストを低減させた弾球遊技機を得ることができる。
【００１５】
請求項５に係る発明は、請求項４に記載の弾球遊技機において、アース部材は照明基板のアース回路の回路パターンに弾性的に接触して接続されることを特徴とする。このような構成によれば、アース部材と照明基板のアース回路とがアース部材自身で接続されるため、これらの間を結ぶアース線を設ける必要がないとともに、アース部材、照明基板ともにその構成を簡明化することができ、さらに、アース線を配線する作業工数等を削減して生産コストをさらに低減させた弾球遊技機を得ることができる。
【００１６】
そして、以上各発明の構成によれば、打球発射装置から発射された遊技球は、遊技領域に至る過程で外レールに接して蓄積した電荷を放出するため、電荷を蓄積した状態のまま遊技領域に到達することがない。また、遊技領域内で図柄表示装置周辺の飾り部材やチューリップ等のプラスティック部材と接触して帯電した遊技球は、アウト口に至る経路で内レールと接して電荷を放出するため帯電状態のまま裏機構盤の排出経路に到達することがない。
【００１７】
【発明の実施の形態】
以下、図面を参照して本発明の好ましい実施形態について説明する。本発明に係る弾球遊技機の一例として、図１および図２にパチンコ機を示している。なお、図１はパチンコ機ＰＭの外観正面図を、図２は図１に示すパチンコ機ＰＭのガラス扉５および上球皿６を開放したときの正面図を示している。また、以下では、説明の便宜上、図１に示す姿勢における上下・左右方向をそれぞれ上下および左右と称し、パチンコ機ＰＭに向かって手前側を前方、背面側を後方または裏側と称して説明する。
【００１８】
パチンコ機ＰＭは外郭方形枠サイズに構成されて縦向きの固定保持枠を成す外枠１の開口前面に、これに合わせた方形枠サイズに構成されて開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１９】
前枠２の各部には、パチンコ遊技を展開する遊技展開部材として、前枠２の前側面域に合わせてガラス扉５及び上球皿６が左側部に設けられたヒンジ機構を利用して横開き開閉及び着脱が可能に組付けられるとともに、上球皿６の下部に下球皿７、操作ハンドル８及び打球発射装置９等が装備されている。前枠２の裏側には、この前枠２と一体成形された収容枠２ａに所定のゲージ設定で構成された遊技盤２０が開閉および着脱可能にセット保持される。
【００２０】
また、収容枠２ａの裏側には、球貯留部や賞球払出機構等を有する裏機構盤（図示せず）が開閉及び着脱可能に装備されている。裏機構盤の各部には主制御基板やターミナル基板、音声基板等の各種基板や電子部品などが取り付けられ、各機器が図示しないワイヤーハーネスで接続されている。
【００２１】
一方、収容枠２ａの下部に位置する前枠２の中間部には遊技補助盤１０が形成される。遊技補助盤１０には、打球発射装置９により打ち出される遊技球を左上方に案内する発射レール１２、発射レール１２からの打球がガラス扉５方向に逸脱することを防止する球案内部１３ａを有するケースカバー１３、効果音を発生するスピーカ１４などが取り付けられる。発射レール１２の上端部と遊技盤２０側の外レール２２下端部とは所定間隔をおいて配設されるとともに、これらの間に上方に開口するファール口１５が形成されており、遊技領域に到達できずに打球発射装置側に戻ろうとするファール球を回収し下球皿７に排出させる。
【００２２】
上球皿６の正面側には、遊技球を貯留するとともに貯留した遊技球を傾斜下方（図１における右方向）に向けて整列させる球皿部６ａが設けられ、上球皿６の裏面側に球送り装置（不図示）が取り付けられている。球送り装置は球皿部６ａで整列された遊技球を打球発射装置９の作動と同期して１個ずつ発射レール１２上に送出する。
【００２３】
パチンコ機ＰＭは、上球皿６およびガラス扉５が閉止され施錠された状態（図１に示す状態）で遊技に供され、球皿部６ａに遊技球を貯留させて操作ハンドル８を回動操作することにより開始される。操作ハンドル８の操作レバーが回動操作されると、球皿部６ａに貯留する遊技球が球送り装置によって１球ずつ発射レール１２上に送り出され、打球発射装置９のハンマーに打ち出されて発射レール１２及び遊技盤２０の外レール２２に沿って遊技領域に導かれ、以降パチンコゲームが展開される。
【００２４】
さて、このように構成されるパチンコ機ＰＭにおいて、遊技盤２０は厚さ19mm程度の積層合板の表面にセルが貼り付けられた化粧板２１の前面側に、帯状の外レール２２および内レール２３（これらを案内レールとも称する）が固設され遊技領域ＰＡが区画される。遊技領域ＰＡ内には多数本の遊技釘とともに、複数の風車２５、電動チューリップを主体とした種々の役物２６（２６ａ，２６ｂ，２６ｃ等）、周囲に飾り部を有した図柄表示部２７などが設けられ、遊技領域ＰＡの下端部にアウト球を回収するアウト口２９が設けられている。また、遊技領域ＰＡの外側には外郭方形状の収容枠２ａと円弧状の内・外レールの外周との間を埋めるようにレール飾り３０（３０ａ，３０ｂ）が配設される。
【００２５】
一方、化粧板２１の裏面側には、役物２６に入賞した入賞球を裏機構盤に導く入賞球集合経路や、図柄表示部２７に各種図柄を表示させる表示制御基板、視覚効果を高める各種の表示ランプ等が設けられており、このように構成される遊技盤２０が一体で収容枠２ａに着脱自在に取り付けられるとともに、裏機構盤側の主制御基板や電源基板等とコネクタケーブルで接続され、役物２６や図柄表示装置２７等の作動が制御される。
【００２６】
遊技盤２０における外レール２２、内レール２３およびレール飾り３０の配設関係を図３に示す。なお、図３では遊技釘や風車２５、各種役物２６、図柄表示装置２７等の記載を省略している。
【００２７】
外レール２２は、厚さ0.5mm 幅15mm程度の帯状のステンレス鋼鋼板を利用して形成され、発射レール１２と所定間隔離れて連絡する遊技盤２０の下端部から右上方の返しゴム２８まで略円弧状に化粧板２１に固設される。外レール２２は打球発射装置９によって打ち出されガイドレール１２に沿って発射される打球を、このレール２２の内周面に沿って遊技領域ＰＡの上部に案内する。
【００２８】
内レール２３は、外レールと同様のステンレス鋼鋼板を利用して形成され、遊技盤２０の左上端から右中間まで上方に開いた円弧状に化粧板２１に固設される。内レール２３は遊技領域ＰＡ内に打ち込まれた遊技球がこの遊技領域ＰＡから外に飛び出すことを防止するとともに、遊技領域を落下した遊技球をアウト口２９に導く機能を有している。内レール２３の左上端部には遊技領域ＰＡ内に打ち出された遊技球が発射装置９側に戻ることを規制する球戻り防止片２４が取り付けられている。
【００２９】
レール飾り３０は、化粧板２１の盤面に固設されるベース部材３１（３１ａ，３１ｂ）と、このベース部材３１の上面を覆ってベース部材３１にねじ止め固定される光透過性のレンズ部材３２（３２ａ，３２ｂ）とからなり、それぞれ適宜な樹脂材料を射出成形等の成形手段により図示する形状に構成する。レール飾り３０はベース部材３１にレンズ部材３２が取り付けられた状態で、内・外レール２３，２２のレール高さと略同程度の高さを有している。また、盤面右側のレール飾り３０ｂは、外レール２２の右上端部と内レール２３の右上端部との間を結んでこの間で遊技領域ＰＡを区画するとともに、外レール２２の上端部近傍にはレール端部を覆うように遊技領域に張り出して返しゴム２８が設けられている。
【００３０】
ベース部材３１ａ，３１ｂには、LEDが複数個実装されたLED基板３５（３５ａ，３５ｂ，３５ｃ）が取り付けられており、所定の入賞状態となったときに内部に配設されたLED（発光素子）を点滅させることで、レンズ部材３２を通して効果照明が行われる。
【００３１】
このように構成される遊技盤２０では、内・外レール２３，２２が電気的に浮いた状態となり、静電気を蓄積させやすい状況にある。そこで、本発明の遊技機ではレール飾り３０に、外レール２２および内レール２３を電気的に地落させる静電気除去装置が設けられている。
【００３２】
図３および図４には第１実施形態に係る静電気除去装置５０を例示しており、以下両図を参照して静電気除去装置５０について説明する。なお、図４は図３中に矢印IV-IVを付して示す方向に見た静電気除去装置の断面図を示し、(A)(B)(C)はその取り付け手順を時系列に表したものである。
【００３３】
この静電気除去装置５０は、レール飾り３０ｂから外レール２２または内レール２３に向けて突出し、これらのレールの外側面に接触するアース部材５１と、一端がアース部材５１に接続されて他端がパチンコ機のアースに接続されるアース線５２とから構成される。
【００３４】
アース部材５１は、例えば厚さ0.2〜0.8mm程度のリン青銅やバネ用ステンレス鋼などの金属薄板を、プレス成形等の公知の加工方法により図示する形状に成形し、必要に応じて適宜なメッキ処理を行うことにより構成する。アース部材５１は、その基端側に穿設された孔部で、ベース部材３１ｂに一体成形された円柱状の突起部（いわゆるダボ）３３に嵌挿され、上方に折り曲げられた接触片部５１ａで外レール２２の外側面、または内レール２３の外側面に弾性的に（バネ性をもって）接触し電気的に接続される（図４(A)）。なお、ベース部材３１ｂにはアース部材５１の突出位置に対応してリブに切り欠きが形成されており、これによりアース部材５１の回転が規制され位置決めされる。
【００３５】
一方、アース線５２は、所定サイズの芯線を有する被覆電線５２ａの一端に固定端子（丸形圧着端子）５２ｂが圧着接続されて構成され、固定端子５２ｂがアース部材５１に重ねられるように突起部３３に嵌挿される（図４(B)）。そしてこのように重ねられた固定端子５２ｂの上から、レンズ部材３２ｂが取り付けられ（図４(C)）、レンズ部材３２ｂに形成されたボス３４がベース部材３１ｂの突起部３３と嵌合して、アース部材５１と固定端子５２ｂとを挟持保持する。
【００３６】
アース線５２ａの他端側は、化粧板２１に設けられたLED基板用の配線孔２１ａを通して化粧板２１の裏面側に導かれ、パチンコ機本体のアース（例えば電源基板のアース回路）に接続される。これにより、外レール２２と内レール２３とが遊技機本体のアースに電気的に接続されアース電位に落とされる。
【００３７】
このため、打球発射装置９によって発射された遊技球は、遊技領域ＰＡに至る過程で外レール２２に接して蓄積した電荷を放出し、電荷を蓄積した状態のまま遊技領域ＰＡに到達することがない。また、遊技領域ＰＡを落下中に図柄表示装置２７周辺の飾り部材や、各種役物２６ａ〜２６ｃ等のプラスティック部材と接触して帯電した遊技球は、アウト口２９に導かれる過程で内レール２３と接して電荷を放出し、帯電状態のまま裏機構盤の排出経路に到達することがない。
【００３８】
また、このような静電気除去装置５０では、アース部材５１の接触片部５１ａのみがレール飾り３０ｂと内・外レール２３，２２との隙間部分に現れるに過ぎないため、遊技者に装置の存在を意識させることがなく、外観上何ら煩雑な感じを与えることもない。さらに、本構成によれば内・外レール２３，２２について何ら形状等を変更する必要がなく、またこれらのレールの形状精度や取り付け精度が多少ばらついても確実に地落させることができる。
【００３９】
次に、静電気除去装置の第２実施形態について図５を参照して簡潔に説明する。この静電気除去装置６０は、上述した静電気除去装置５０と同様位置に取り付けられてレール飾り３０ｂから外レール２２または内レール２３に向けて突出し、これらのレール２２，２３の外側面に接触するアース部材６１を有して構成される。図５はこのアース部材６１の断面図（図４に相当する断面図）を示しており、以下この図５を参照して説明する。なお、遊技盤２０や内・外レール２３，２２、ベース部材３１の主要構成等は前述の実施例と同様であるため重複説明を省略する。
【００４０】
アース部材６１は、前述したアース部材５１と同様の金属薄板を、プレス成形等の公知の加工方法により図示する断面形状に成形し、必要に応じてメッキ処理を行って構成する。アース部材６１の中間部には、ベース部材３１ｂに一体成形された円柱状の突起部（ダボ）３３に嵌合する孔部が形成されており、この孔部を突起部３３に嵌合させてその上部から固定部材（例えば、内歯つきリング等）６２を圧入することでベース部材３１ｂに固定される。アース部材６１の先端側は上方に折り曲げられるとともに円筒状に湾曲されて先端側接触片部６１ａが形成され、この先端側接触片部６１ａが外レール２２の外側面、または内レール２３の外側面に弾性的に接触して電気的に接続される。
【００４１】
一方、アース部材６１の基端側は上方に折り曲げられるとともにその先端部が折り返され、図５における上下方向にバネ性をもった基端側接触片部６１ｂが形成される。LED基板３５ｂ，３５ｃ（以下両者をまとめて付番３５で示す）は、この基端側接触片部６１ｂの上方を覆うように取り付けられ、基端側接触片部６１ｂはLED基板３５の裏面に形成されたアース回路の回路パターンに弾性的に接触して電気的に接続される。LED基板３５の配線ケーブル（不図示）は、配線孔２１ａを通して化粧板２１の裏面側に導かれ、この基板３５のアース回路がパチンコ機本体のアース（例えば電源基板のアース回路）に接続される。これにより、外レール２２と内レール２３とが遊技機本体のアースに電気的に接続されアース電位に落とされる。
【００４２】
従って、本実施形態の静電気除去装置６０においても、前記実施形態の静電気除去装置５０と同様の効果を得ることができるとともに、本実施形態の静電気除去装置６０によれば、アース部材ごとに個別のアース線を製作し、また引き回し配線をする必要がなく、部品コストおよび作業工数をさらに削減することができる。
【００４３】
なお、以上説明した実施例では、遊技盤右側のレール飾り３０ｂに内・外レール両方のアース部材を設けた例を開示したが、外レール２２に対するアース部材５１，６１の取り付け位置は、遊技盤左上部のレール飾り３０ａに設けることもできる。また、ベース部材３１ｂに円柱状の突起（ダボ）３３を形成しこの突起３３を利用してアース部材５１，６１を取り付ける例を開示したが、ねじ等の固定手段を用いて固定するものであっても良く、また化粧板２１に直接固定するものであってもよい。なお、アース部材の接触端部は円筒状や球面状の突起を有する形態とすることもできる。また、アース部材の一例として金属板を折り曲げ成型して弾性的に接触させる例を開示したが、アース部材は導電性とバネ性とを備えるものであればよく、例えば、導電性があるブラシの先端部をレールに接触させるような実施形態であってもよい。
【００４４】
【発明の効果】
以上説明したように、本発明では、金属製の外レールおよび内レールと、これらのレールによって仕切られる略円形の遊技領域の外側にレールに沿って配設されるレール飾りと、レール飾りから外レールまたは内レールに向けて突出し先端側の接触片部がレールの外側面に弾性的に接触する金属製の外アース部材と、アース部材に接続されてアース部材を電気的に接地させるアース手段とを備え、アース部材の基端側がカバー部材に覆われたレール飾りの内部において固定されアース手段に接続されるとともに、レールに沿って配設される壁面にアース部材の突出位置に対応して切り欠き部が形成されてアース部材の先端側が導出され、アース部材における接触片部のみがレール飾りとレールとの隙間部分に現われるように弾球遊技機を構成する。このような弾球遊技機によれば、アース部材の接触片部がレール飾りとレールとの間に位置して配設されるため内・外レールの構成を大きく変更したり複雑化させることなく、また、外観上も遊技者に静電気除去装置の存在を意識させるような意匠上の変化を生じさせることがなく、内・外レールをアースさせる遊技機を構成することができる。
【００４５】
また、アース部材を金属材料で形成し外レールまたは内レールの外側面に弾性的に接触する構成により、内・外レールに何等の変更を加えずに静電気除去装置を構成できるとともに、内・外レールの形状や取り付け位置等がばらついた場合でも柔軟に追従して確実にアースさせることができる。また、ローコストに静電気除去手段を備えた弾球遊技機を構成することができる。
【００４６】
なお、アース部材に穿設した孔部をベース部材に形成した突起部に嵌挿させ、アース部材の先端側を切り欠きを通して導出させてベース部材の上方を覆ってカバー部材を取り付けたときに、アース部材が回転規制され位置決めされた状態でベース部材とカバー部材とに挟持されて固定されるような構成によれば、組立工数を増加させることなく簡単にアース部材を取り付けることができる。
【００４７】
また、レール飾りに照明手段を有する照明基板が配設される弾球遊技機において、アース部材を照明基板のアース回路に接続することにより、独自のアース線を引き回すことなく照明基板のコネクタケーブルを利用してアース回路を構成することができ、また、アース部材を照明基板のアース回路の回路パターンに弾性的に接触させて接続することで、アース部材、照明基板ともにその構成を簡明化して、アース線を配線する作業工数や組立工数等を削減し生産コストをさらに低減させた弾球遊技機を得ることができる。
【図面の簡単な説明】
【図１】本発明に係る弾球遊技機の好ましい実施形態として示すパチンコ機の正面図である。
【図２】ガラス扉および上球皿を開放した状態で示す上記パチンコ機の正面図である。
【図３】上記パチンコ機における遊技盤の正面図であり、静電気除去装置の構成を示す説明図である。
【図４】図３中に矢印IV-IVを付して示す方向に見た静電気除去装置の断面図を示し、各図(A)(B)(C)はその取り付け手順を時系列に表したものである。
【図５】本発明に係る弾球遊技機における静電気除去装置の他の実施形態を示す断面図（図４に対応する矢視断面図）である。
【符号の説明】
１            外枠
２            前枠
２ａ          収容枠
３ａ，３ｂ    開閉ヒンジ
４            施錠装置
５            ガラス扉
６            上球皿
７            下球皿
８            操作ハンドル
９            打球発射装置
１０          遊技補助盤
１２          発射レール
１３          ケースカバー
１４          スピーカ
１５          ファール口
２０          遊技盤
２１          化粧板
２２          外レール
２３          内レール
２４          球戻り防止片
２５          風車
２６a〜２６c  役物（入賞口）
２８          返しゴム
２９          アウト口
３０（３０ａ，３０ｂ）  レール飾り
３１（３１ａ，３１ｂ）  ベース部材
３２（３２ａ，３２ｂ）  レンズ部材
３３          ダボ
３４          ボス
３５（３５ａ，３５ｂ，３５ｃ）  LED基板
５０          静電気除去装置（第１実施例）
５１          アース部材
５１ａ        接触片部
５２          アース線（５２ａ  被覆電線、５２ｂ  固定端子）
６０          静電気除去装置（第２実施例）
６１          アース部材
６１ａ        先端側接触片部
６１ｂ        基端側接触片部
６２          固定部材
【図１】
0004132774.tif 000002
【図２】
0004132774.tif 000003
【図３】
0004132774.tif 000004
【図４】
0004132774.tif 000005
【図５】
0004132774.tif 000006